(57)【要約】      （修正有）【課題】通話者の口を覆うことで通話者の音声を外部に漏れにくくするマスクを提供する。【解決手段】マスク１００は、人の口を覆い、開口部１４を備えるカバー１０と、カバーの内部と外部とを通気する管状の通気路１１と、通気路の通気量を増減させ、開口部を介した前記カバーの内部と外部との通気量を増減させる調整器１３とを備える。【選択図】図１
2017002446.tif 000002
【特許請求の範囲】
【請求項１】
人の口を覆い、開口部を備えるカバーと、前記カバーの内部と外部とを通気する管状の通気路と、前記通気路の通気量を増減させ、前記開口部を介した前記カバーの内部と外部との通気量を増減させる調整器とを備えるマスク。
【請求項２】
前記カバーは、前記カバー内部に設けられた通気口より延伸した前記通気路と接続する前記第１開口部と、前記第１開口部とは異なる第２開口部とを備え、前記調整器は前記第２開口部の開口面積を調整する、請求項１記載のマスク。
【請求項３】
前記調整器は、前記開口部を覆い、通気口を有する調整板を備え、前記調整板を移動させて、前記開口部と前記通気口との重なりを増減させる、請求項１記載のマスク。
【請求項４】
前記調整器は、前記開口部を覆い、前記カバーの内部にある前記通気路に接続する調整板を備え、前記調整板を移動させて、前記開口部と前記通気路の通気口と重なりを増減させる、請求項１記載のマスク。
【請求項５】
前記調整器は、前記カバーの外部にある前記通気路を前記カバーから着脱する着脱器である、請求項１記載のマスク。
【請求項６】
操作者により操作されるスイッチを備え、操作者による前記スイッチが操作されると、前記調整器により前記調整板が移動する、請求項３又は４に記載のマスク。
【請求項７】
前記カバー内にマイクロフォンを備える、請求項１−６のいずれか１項に記載のマスク。
【発明の詳細な説明】
【技術分野】
【０００１】
本発明はマスクに関する。
【背景技術】
【０００２】
スマートフォン等の情報携帯端末を用いて室内等で通話を行う場合、通話者の音声が周囲の人に聞かれることにより、周囲の人に通話の内容が知られる可能性、周囲の人へ不快感を与える可能性がある。
【０００３】
そこで、このような可能性を低減すべく、情報携帯端末用の補助具として、様々なマスクが提案されている（例えば、特許文献１及び特許文献２参照）。
【０００４】
特許文献１では、マスクを２重構造にすることで、マスク内の音声を内側と外側の間の通気路で減衰させ、外部に漏れににくくしている。具体的には、図７に示すように、外郭通気口９を下方に、内郭通気口８を上方に設けることにより、通気路１１を長くすることで、内郭通気口８から外郭通気口９に抜ける音声、特に、低周波〜中域周波数の音声の減衰（減音）を行いやすい構成になっている。
【０００５】
特許文献２では、息抜き孔からマスク本体の外部に抜け出す音声は、その息抜き孔に連通せられた通気路内を伝播する際の減衰作用によって弱められる。具体的には、図８に示すように、呼吸用パイプ１３Ｒ、１３Ｌは、柔軟な塩化ビニル樹脂から構成されており、息抜き孔に連結されたマスク本体１の下部側から左右方向に分かれて、マスク本体１の側部に沿って上方に延びるように配管されている。そして、これらの配管状態が、マスク本体１の外面側から内面側に向かって折り返されたマスク本体１の折り返し片部７によって保持されている。
【先行技術文献】
【特許文献】
【０００６】
【特許文献１】特開２００６−２２２８７７号公報
【特許文献２】特開平７−２７３８５２号公報
【発明の概要】
【０００７】
しかし、従来例は、通話者の口を覆うことで通話者の音声を外部に漏れにくくするマスクにおいて、周囲の人と直接話をする場合の使い勝手については十分に検討されていない。
【０００８】
本発明の一態様(aspect)は、このような事情に鑑みてなされたものであり、通話者の口を覆うことで通話者の音声を外部に漏れにくくするマスクにおいて、周囲の人と直接話をする場合の使い勝手が従来よりも向上し得るマスクを提供する。
【発明が解決しようとする課題】
【０００９】
本発明の一態様のマスクは、人の口を覆い、開口部を備えるカバーと、前記カバーの内部と外部とを通気する管状の通気路と、前記通気路の通気量を増減させ、前記開口部を介した前記カバーの内部と外部との通気量を増減させる調整器とを備える。
【発明の効果】
【００１０】
本発明の一態様によれば、通話者の口を覆うことで通話者の音声を外部に漏れにくくするマスクにおいて、周囲の人と直接話をする場合の使い勝手が従来よりも向上し得るという効果を奏する。
【図面の簡単な説明】
【００１１】
【図１】図１は、実施形態のマスクの一例を示す図である。
【図２】図２は、実施形態の第１実施例のマスクの一例を示す図である。
【図３】図３は、実施形態の第２実施例のマスクの一例を示す図である。
【図４】図４は、実施形態の第３実施例のマスクの一例を示す図である。
【図５Ａ】図５Ａは、実施形態の第４実施例のマスクの一例を示す図である。
【図５Ｂ】図５Ｂは、実施形態の第４実施例のマスクの一例を示す図である。
【図６】図６は、実施形態の第６実施例のマスクの一例を示す図である。
【図７】図７は、従来のマスクの一例を示す図である。
【図８】図８は、従来のマスクの一例を示す図である。
【発明を実施するための形態】
【００１２】
（実施形態）
発明者らは、通話者の口を覆うことで通話者の音声を外部に漏れにくくするマスクにおいて、周囲の人と直接話をする場合の使い勝手について鋭意検討し、以下の知見を得た。
【００１３】
特許文献１のマスク及び特許文献２のマスクは、通話者の音声を外部に漏れにくくすべく、通話者の口元にマスクが適切にフィットするように装着面は設計されている。このため、通話者が、周囲の人と直接、会話をする場合は、マスクを取り外す必要があり、使い勝手が悪い。
【００１４】
そこで、本実施形態のマスクは、人の口を覆い、開口部を備えるカバーと、カバーの内部と外部とを通気する管状の通気路と、通気路の通気量を増減させ、開口部を介したカバーの内部と外部との通気量を増減させる調整器とを備える。
【００１５】
かかる構成によると、通話者の口を覆うことで通話者の音声を外部に漏れにくくするマスクにおいて、周囲の人と直接話をする場合の使い勝手が従来よりも向上し得る。例えば、周囲の人に通話者の音声を聞かれにくくする場合は、開口部を閉じるように調整器を調整できる。また、周囲の人と直接、会話する場合は、開口部を開けるように調整器を調整できる。これにより、開口部を介したカバーの内部と外部との通気量が増加し、通話者の音声が周囲の人に聞こえる。よって、通話者が、周囲の人と直接、会話をする場合でも、マスクを取り外す必要がないので、従来よりも使い勝手が向上する。
【００１６】
以下、添付図面を参照しつつ、実施形態及び実施例について詳しく説明する。
【００１７】
以下で説明する具体例は、いずれも本発明の一例を示すものである。例えば、以下の具体例で示される形状、構成要素、構成要素の配置位置および接続形態等は、あくまで一例であり、本発明を限定するものではない。また、以下の具体例における構成要素のうち、本発明の最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状および寸法比等については正確な表示ではない場合がある。
【００１８】
［装置構成］
図１は、実施形態のマスクの一例を示す図である。
【００１９】
図１に示す例では、マスク１００は、カバー１０と、通気路１１と、調整器１３とを備える。
【００２０】
カバー１０は、人の口を覆い、開口部１４を備える。カバー１０は、人の口を覆い、開口部１４を備えるものであれば、どのような構成であっても構わない。例えば、カバー１０を通話者の口に装着する場合、カバー１０の装着面は、通話者の音声が外部に漏れにくくなるように通話者の口元にフィットする形状及び素材で構成されている。
【００２１】
開口部１４は、カバー１０に設けられた貫通孔である。開口部１４は、カバー１０のいずれの箇所に設けてもいい。開口部１４は、丸孔でも角孔でもいい。
【００２２】
通気路１１は、カバー１０の内部と外部とを通気する管状の経路である。通気路１１は、カバー１０の内部と外部とを通気する管状の経路であれば、どのような構成であっても構わない。図１に示す例では、通気路１１は、カバー１０の内部に設けられた通気口１２から延伸し、カバー１０の開口部１４へと接続しているが、これに限らない。例えば、通気路をカバー１０の外部に設けてもよい（例えば、図５Ａ及び図５Ｂ参照）。なお、通気路１１は、可とう性のチューブでも構わない。
【００２３】
調整器１３は、通気路１１の通気量を増減させ、開口部１４を介したカバー１０の内部と外部との通気量を増減させる。調整器１３は、通気路１１の通気量を増減させ、開口部１４を介したカバー１０の内部と外部との通気量を増減できれば、どのような構成であっても構わない。調整器１３の具体例は、以下の実施例で説明する。
【００２４】
以上により、通話者の口を覆うことで通話者の音声を外部に漏れにくくするマスク１００において、周囲の人と直接話をする場合の使い勝手が従来よりも向上し得る。例えば、周囲の人に通話者の音声を聞かれにくくする場合は、開口部１４を閉じるように調整器１３を調整できる。また、周囲の人と直接、会話する場合は、開口部１４を開けるように調整器１３を調整できる。これにより、開口部１４を介したカバー１０の内部と外部との通気量が増加し、通話者の音声が周囲の人に聞こえる。よって、通話者が、周囲の人と直接、会話をする場合でも、マスク１００を取り外す必要がないので、従来よりも使い勝手が向上する。
【００２５】
（第１実施例）
第１実施例のマスクは、実施形態のマスクにおいて、カバーは、カバー内部に設けられた通気口より延伸した通気路と接続する第１開口部と、第１開口部とは異なる第２開口部とを備え、調整器は第２開口部の開口面積を調整する。
【００２６】
かかる構成によると、周囲の人に通話者の音声を聞かれにくくする場合は、第２開口部を閉じるように調整器を調整できる。また、周囲の人と直接、会話する場合は、第２開口部を開けるように調整器を調整できる。これにより、第２開口部を介したカバーの内部と外部との通気量が増加し、通話者の音声が周囲の人に聞こえる。よって、通話者が、周囲の人と直接、会話をする場合でも、マスクを取り外す必要がないので、従来よりも使い勝手が向上する。また、第２開口部の開度を調整することで、通話者の好みの音量で周囲の人と直接、会話できる。また、第２開口部のカバーの側面に設ける場合、横隣りの人に通話者の音声が聞こえやすくなり、第２開口部をカバーの底面に設ける場合、対面の人に通話者の音声が聞こえやすくなる。
【００２７】
本実施例のマスクは、上記特徴以外は、実施形態のマスクと同様に構成してもよい。
【００２８】
［装置構成］
図２は、実施形態の第１実施例のマスクの一例を示す図である。
【００２９】
図２に示す例では、マスク１００は、カバー１０Ａと、通気路１１と、調整器１３Ａとを備える。通気路１１については実施形態と同様であるので説明を省略する。
【００３０】
カバー１０Ａは、カバー１０Ａの内部に設けられた通気口１２より延伸した通気路１１と接続する第１開口部１４Ａと、第１開口部１４Ａとは異なる第２開口部１４Ｂとを備える。
【００３１】
第１開口部１４Ａ及び第２開口部１４Ｂは、カバー１０Ａに設けられた貫通孔である。第１開口部１４Ａ及び第２開口部１４Ｂは、両者がカバー１０Ａの異なる箇所に設けられていれば、いずれの箇所に設けてもいい。第１開口部１４Ａ及び第２開口部１４Ｂは、丸孔でも角孔でもいい。
【００３２】
調整器１３Ａは、第２開口部１４Ｂの開口面積を調整する。調整器１３Ａは、第２開口部１４Ｂの開口面積を調整できれば、どのような構成であっても構わない。
【００３３】
例えば、図２に例示する如く、第２開口部１４Ｂが丸孔で形成されていて、調整器１３Ａは、調整板２３が、第２開口部１４Ｂに重なり、両者が重なり合わない部分が扇形開口１６になるように構成されている。この調整板２３は、例えば、図示しない駆動器又は手動により回転軸２３Ａを中心に回転可能な一対の半円部材から構成されていてよい。この場合、これらの半円部材同士が重ならない場合、第２開口部１４Ｂが完全に閉止され、これらの半円部材同士が重なることで、扇形開口１６の中心角が変化すると、第２開口部１４Ｂの開口面積が調整される。
【００３４】
このようにして、調整器１３Ａにより第２開口部１４Ｂの開口面積が増加すると、通気路１１の通気量が減少し、第２開口部１４Ｂを介したカバー１０Ａの内部と外部との通気量が増加する。逆に、第２開口部１４Ｂの開口面積が減少すると、通気路１１の通気量が増加し、第２開口部１４Ｂを介したカバー１０Ａの内部と外部との通気量が減少する。
【００３５】
図示を省略するが、第２開口部の直径は、上記調整板の半径よりも小さく、上記調整板の円周と中心点の間に、第２開口部が収まる配置でもよい。これにより、調整板の扇形開口と第２開口部が重なる面積を大きくすることにより、通気量を大きくでき、第２開口部を調整板の扇形開口以外の部分で完全に覆うことで、閉止できる。
【００３６】
図示を省略するが、第２開口部及び上記調整板は長方形に形成されていてもよい。これにより、調整板が、第２開口部の長手方向にスライド移動することで第２開口部の開口面積を調整できる。なお、この場合、第２開口部が丸孔である場合に比べ、カバー１０Ａの側面が球状の場合でも第２開口部をスムーズに開閉できる。
【００３７】
以上により、周囲の人に通話者の音声を聞かれにくくする場合は、第２開口部１４Ｂを閉じるように調整器１３Ａを調整できる。なお、この場合、第１開口部１４Ａを介したカバー１０Ａの内部と外部との通気が行われるが、通話者の音声は、通気路１１を通るので減衰される。
【００３８】
また、周囲の人と直接、会話する場合は、第２開口部１４Ｂを開けるように調整器１３Ａを調整できる。これにより、第２開口部１４Ｂを介したカバー１０Ａの内部と外部との通気量が増加し、通話者の音声が周囲の人に聞こえる。よって、通話者が、周囲の人と直接、会話をする場合でも、マスク１００を取り外す必要がないので、従来よりも使い勝手が向上する。また、第２開口部１４Ｂの開度を調整することで、通話者の好みの音量で周囲の人と直接、会話できる。また、第２開口部１４Ｂのカバー１０Ａの側面に設ける場合、横隣りの人に通話者の音声が聞こえやすくなり、第２開口部１４Ｂをカバー１０Ａの底面に設ける場合、対面の人に通話者の音声が聞こえやすくなる。
【００３９】
（第２実施例）
第２実施例のマスクは、実施形態のマスクにおいて、調整器は、開口部を覆い、通気口を有する調整板を備え、調整板を移動させて、開口部と通気口との重なりを増減させる。
【００４０】
かかる構成によると、周囲の人に通話者の音声を聞かれにくくする場合は、調整板を移動させ、開口部と通気口との重なりを減らすように調整できる。また、周囲の人と直接、会話する場合は、上記重なりを増やすように調整できる。これにより、開口部を介したカバーの内部と外部との通気量が増加し、通話者の音声が周囲の人に聞こえる。よって、通話者が、周囲の人と直接、会話をする場合でも、マスクを取り外す必要がないので、従来よりも使い勝手が向上する。また、開口部と通気口との重なりを調整することで、通話者の好みの音量で周囲の人と直接、会話できる。また、カバーの開口部が１個となるので、第１実施例に比べ、カバーを容易に成型できる。
【００４１】
本実施例のマスクは、上記特徴以外は、実施形態のマスクと同様に構成してもよい。
【００４２】
［装置構成］
図３は、実施形態の第２実施例のマスクの一例を示す図である。
【００４３】
図３に示す例では、マスク１００は、カバー１０と、通気路１１と、調整器１３Ｂとを備える。カバー１０及び通気路１１については実施形態と同様であるので説明を省略する。
【００４４】
調整器１３Ｂは、開口部１４を覆い、通気口１７Ａを有する調整板３３を備え、調整板３３を移動させて、開口部１４と通気口１７Ａとの重なりを増減させる。
【００４５】
具体的には、開口部１４の両側の一対のレール２０Ａが、カバー１０の外面に設けられている。そして、図示しない駆動器又は手動により調整板３３がレール２０Ａ上を移動することで、開口部１４と通気口１７Ａとの離間距離が調整される。例えば、図３に示す例の如く、調整板３３の蓋部３３Ａが開口部１４を覆うと、開口部１４と通気口１７Ａとの重なりが存在しなくなる。また、この状態において、調整板３３の通気口１７Ａが、開口部１４上に位置するように、調整板３３がレール２０Ａ上を移動すると、開口部１４と通気口１７Ａとの重なりが増加する。調整器１３Ｂにより上記重なりが増加すると、通気路１１の通気量が増加し、開口部１４を介したカバー１０の内部と外部との通気量も増加する。逆に、上記重なりが減少すると、通気路１１の通気量が減少し、開口部１４を介したカバー１０の内部と外部との通気量も減少する。
【００４６】
以上により、周囲の人に通話者の音声を聞かれにくくする場合は、調整板３３を移動させ、開口部１４と通気口１７Ａとの重なりを減らすように調整できる。また、周囲の人と直接、会話する場合は、上記重なりを増やすように調整できる。これにより、開口部１４を介したカバー１０の内部と外部との通気量が増加し、通話者の音声が周囲の人に聞こえる。よって、通話者が、周囲の人と直接、会話をする場合でも、マスク１００を取り外す必要がないので、従来よりも使い勝手が向上する。また、開口部１４と通気口１７Ａとの重なりを調整することで、通話者の好みの音量で周囲の人と直接、会話できる。また、カバー１０の開口部１４が１個となるので、第１実施例に比べ、カバー１０を容易に成型できる。
【００４７】
（第３実施例）
第３実施例のマスクは、実施形態のマスクにおいて、調整器は、開口部を覆い、カバーの内部にある通気路に接続する調整板を備え、調整板を移動させて、開口部と通気路の通気口と重なりを増減させる。
【００４８】
かかる構成によると、周囲の人に通話者の音声を聞かれにくくする場合は、調整板を移動させ、開口部と通気路の出口側の通気口との重なりを減らすように調整できる。また、周囲の人と直接、会話する場合は、上記重なりを増やすように調整できる。これにより、開口部を介したカバーの内部と外部との通気量が増加し、通話者の音声が周囲の人に聞こえる。よって、通話者が、周囲の人と直接、会話をする場合でも、マスクを取り外す必要がないので、従来よりも使い勝手が向上する。また、開口部と通気口との重なりを調整することで、通話者の好みの音量で周囲の人と直接、会話できる。また、カバーの開口部が１個となるので、第１実施例に比べ、カバーを容易に成型できる。
【００４９】
本実施例のマスクは、上記特徴以外は、実施形態のマスクと同様に構成してもよい。
【００５０】
［装置構成］
図４は、実施形態の第３実施例のマスクの一例を示す図である。
【００５１】
図４に示す例では、マスク１００は、カバー１０と、通気路１１と、調整器１３Ｃとを備える。カバー１０及び通気路１１については実施形態と同様であるので説明を省略する。
【００５２】
調整器１３Ｃは、開口部１４を覆い、カバー１０の内部にある通気路１１に接続する調整板４３を備え、調整板４３を移動させて、開口部１４と通気路１１の通気口１７Ｂと重なりを増減させる。
【００５３】
具体的には、開口部１４の両側の一対のレール２０Ｂがカバー１０の内面に設けられている。そして、図示しない駆動器又は手動により調整板４３がレール２０Ｂ上を移動することで、開口部１４と通気路１１の出口側の通気口１７Ｂとの離間距離が調整される。例えば、図４に示す例の如く、調整板４３の蓋部４３Ａが開口部１４を覆うと、開口部１４と通気口１７Ｂとの重なりが存在しなくなる。また、この状態において、調整板４３の通気口１７Ｂが、開口部１４上に位置するように、調整板４３がレール２０Ｂ上を移動すると、開口部１４と通気口１７Ｂとの重なりが増加する。調整器１３Ｃにより上記重なりが増加すると、通気路１１の通気量が増加し、開口部１４を介したカバー１０の内部と外部との通気量も増加する。逆に、上記重なりが減少すると、通気路１１の通気量が減少し、開口部１４を介したカバー１０の内部と外部との通気量も減少する。
【００５４】
以上により、周囲の人に通話者の音声を聞かれにくくする場合は、調整板４３を移動させ、開口部１４と通気路１１の出口側の通気口１７Ｂとの重なりを減らすように調整できる。また、周囲の人と直接、会話する場合は、上記重なりを増やすように調整できる。これにより、開口部１４を介したカバー１０の内部と外部との通気量が増加し、通話者の音声が周囲の人に聞こえる。よって、通話者が、周囲の人と直接、会話をする場合でも、マスク１００を取り外す必要がないので、従来よりも使い勝手が向上する。また、開口部１４と通気口１７Ｂとの重なりを調整することで、通話者の好みの音量で周囲の人と直接、会話できる。また、カバー１０の開口部１４が１個となるので、第１実施例に比べ、カバー１０を容易に成型できる。
【００５５】
（第４実施例）
第４実施例のマスクは、実施形態のマスクにおいて、調整器は、カバーの外部にある通気路をカバーから着脱する着脱器である。
【００５６】
かかる構成によると、周囲の人に通話者の音声を聞かれにくくする場合は、着脱器を用いて通気路をカバーに取り付ける。つまり、この場合、通話者の音声は、通気路を通るので減衰される。また、周囲の人と直接、会話する場合は、着脱器を用いて通気路をカバーから取り外す。これにより、開口部を介したカバーの内部と外部との通気量が増加し、通話者の音声が周囲の人に聞こえる。よって、通話者が、周囲の人と直接、会話をする場合でも、マスクを取り外す必要がないので、従来よりも使い勝手が向上する。
【００５７】
本実施例のマスクは、上記特徴以外は、実施形態のマスクと同様に構成してもよい。
【００５８】
［装置構成］
図５Ａ及び図５Ｂは、実施形態の第４実施例のマスクの一例を示す図である。
【００５９】
図５Ａ及び図５Ｂに示す例では、マスク１００は、カバー１０と、通気路１１Ｂと、調整器１３Ｄとを備える。カバー１０については実施形態と同様であるので説明を省略する。
【００６０】
調整器１３Ｄは、カバー１０の外部にある通気路１１Ｂをカバー１０から着脱する着脱器１３Ｄである。着脱器１３Ｄは、カバー１０の外部にある通気路１１Ｂをカバー１０から着脱できれば、どのような構成であっても構わない。
【００６１】
例えば、図５Ａに示す例では、着脱器１３Ｄは、開口部１４を覆い、カバー１０の外部にある通気路１１Ｂに接続する着脱板５３を備え、着脱板５３をレール２０Ａから引き抜くことで、通気路１１Ｂをカバー１０から取り外すことができる。逆に、着脱板５３をレール２０Ａ上に挿入することで、通気路１１Ｂをカバー１０に取り付けることができる。
【００６２】
図５Ｂに示す例では、着脱器１３Ｄは、通気路１１Ｂを形成する配管を装着できる着脱アタッチメント６０を備える。これにより、通気路１１Ｂをカバー１０から容易に脱着できる。
【００６３】
以上により、周囲の人に通話者の音声を聞かれにくくする場合は、着脱器１３Ｄを用いて通気路１１Ｂをカバー１０に取り付ける。つまり、この場合、通話者の音声は、通気路１１Ｂを通るので減衰される。また、周囲の人と直接、会話する場合は、着脱器１３Ｄを用いて通気路１１Ｂをカバーから取り外す。これにより、開口部１４を介したカバーの内部と外部との通気量が増加し、通話者の音声が周囲の人に聞こえる。よって、通話者が、周囲の人と直接、会話をする場合でも、マスク１００を取り外す必要がないので、従来よりも使い勝手が向上する。なお、通気路１１Ｂをカバー１０から着脱可能に構成することで、通気路１１Ｂの洗浄又は交換等が容易となる。
【００６４】
（第５実施例）
第５実施例のマスクは、第２実施例又は第３実施例のマスクにおいて、操作者により操作されるスイッチを備え、操作者によるスイッチが操作されると、調整器により調整板が移動する。
【００６５】
かかる構成によると、スイッチのワンプッシュで、調整板を所望の位置にまで移動させ得る。これにより、周囲の人に通話者の音声を聞かれにくくする状態と、周囲の人に通話者の音声を聞かれやすくする状態と、に簡易かつ迅速に切り替えることができる。また、操作者が片手で上記切り替えを容易に行うことができる。
【００６６】
本実施例のマスクは、上記特徴以外は、実施形態のマスクと同様に構成してもよい。
【００６７】
なお、本実施例のマスクの装置構成は、図面を参酌せずに容易に理解できるので、本構成の図示及び詳細な説明を省略する。
【００６８】
（第６実施例）
第６実施例のマスクは、実施形態及び第１実施例−第５実施例のいずれかのマスクにおいて、カバー内にマイクロフォンを備える。
【００６９】
かかる構成によると、カバー内にマイクロフォンを設けることで、マイクロフォンが外部の雑音を拾わないので、通話者の音声の音質がクリアになる。また、マイクロフォンをスマートフォン等の情報携帯端末に接続し本情報携帯端末を利用することで、通話者は、周囲の人に対する騒音を発生させずに通話できる。
【００７０】
本実施例のマスクは、上記特徴以外は、実施形態及び第１実施例−第５実施例のいずれかのマスクと同様に構成してもよい。
【００７１】
［装置構成］
図６は、実施形態の第６実施例のマスクの一例を示す図である。
【００７２】
図６に示す例では、マスク１００は、カバー１０と、通気路１１と、調整器１３と、マイクロフォン５０と、を備える。カバー１０、通気路１１及び調整器１３については実施形態と同様であるので説明を省略する。
【００７３】
マスク１００は、カバー１０内にマイクロフォン５０を備える。マイクロフォン５０はカバー１０内に設けることができれば、どのような構成であっても構わない。
【００７４】
なお、ここでは、実施形態のマスク１００が、カバー１０内にマイクロフォン５０を備える例を説明したが、これに限らない。第１実施例−第５実施例のいずれかのマスク１００が、カバー内にマイクロフォン５０を備えてもよい。
【００７５】
以上により、カバー１０内にマイクロフォン５０を設けることで、マイクロフォン５０が外部の雑音を拾わないので、通話者の音声の音質がクリアになる。また、マイクロフォン５０をスマートフォン等の情報携帯端末に接続し本情報携帯端末を利用することで、通話者は、周囲の人に対する騒音を発生させずに通話できる。
【００７６】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／又は機能の詳細を実質的に変更できる。
【産業上の利用可能性】
【００７７】
本発明の一態様は、通話者の口を覆うことで通話者の音声を外部に漏れにくくするマスクにおいて、周囲の人と直接話をする場合の使い勝手が従来よりも向上し得る。よって、本発明の一態様は、例えば、情報携帯端末用のマスクとして利用できる。
【符号の説明】
【００７８】
１０    ：カバー
１０Ａ  ：カバー
１１    ：通気路
１１Ｂ  ：通気路
１２    ：通気口
１３    ：調整器
１３Ａ  ：調整器
１３Ｂ  ：調整器
１３Ｃ  ：調整器
１３Ｄ  ：着脱器（調整器）
１４    ：開口部
１４Ａ  ：第１開口部
１４Ｂ  ：第２開口部
１６    ：扇形開口
１７Ａ  ：通気口
１７Ｂ  ：通気口
２０Ａ、２０Ｂ  ：レール
２３、３３、４３    ：調整板
３３Ａ、４３Ａ  ：蓋部
５０    ：マイクロフォン
１００  ：マスク
【図１】
2017002446.tif 000003
【図２】
2017002446.tif 000004
【図３】
2017002446.tif 000005
【図４】
2017002446.tif 000006
【図５Ａ】
2017002446.tif 000007
【図５Ｂ】
2017002446.tif 000008
【図６】
2017002446.tif 000009
【図８】
2017002446.tif 000010
【図７】
2017002446.tif 000011